(57)【要約】【課題】  浴室洗い場と脱衣室との間の出入り口の段差を無くし、汚れを防止する。脱衣室の掃除を簡単にすること。【解決手段】  脱衣室の床を、排水の早い床９とする（例えば、表面に滑り止め用の凸部と、これらの凸部の間に排水口又は流し溝に連続する流路を形成し、少なくとも流路の上に水玉の表面張力を破壊する凹凸形状部を重ねて形成した床とする）。  浴室洗い場３と脱衣室４との間の出入り口５は、吊戸５１とし、吊り戸５１の下端は床面より上とする。【選択図】      図１
2006152682.tif 000002
【特許請求の範囲】
【請求項１】
水玉の表面張力を破壊して速やかに排水する機構を備えたことを特徴とする脱衣室の床。
【請求項２】
表面に多数の凸部が形成され、これらの凸部の間に流れ込んだ水を途切れさせずに一時補水できる状態にする流路が浴室の洗い場に連続させて形成されていることを特徴とする請求項１記載の脱衣室の床。
【請求項３】
水玉の表面張力を破壊して速やかに排水する機構を備えた部分が、浴室の洗い場との出入り口付近に設けられていることを特徴とする請求項１又は２記載の脱衣室の床。
【請求項４】
水玉の表面張力を破壊して速やかに排水する機構を備えた部分が、脱衣室の床の過半を占めることを特徴とする請求項１又は２記載の脱衣室の床。
【請求項５】
請求項１ないし４のいずれか１項記載の脱衣室と浴室の洗い場とを仕切る戸が吊り戸であって、上記吊り戸の下端は床面より上であることを特徴とする浴室。
【発明の詳細な説明】
【技術分野】
【０００１】
この発明は脱衣室の床及び浴室に関する。
【背景技術】
【０００２】
浴室の床の水が途切れることがなく流れ、水溜りが残らずに排水が行われる浴室用床パネルとして、表面に滑り止め用の凸部と、これら凸部の間に排水口又は流し溝に連続する流路を形成し、少なくとも流路の上に水玉の表面張力を破壊する凹凸形状を重ねて形成した浴室用床パネルが提案されている（例えば、特許文献１、２参照）。
【特許文献１】特開２００２−５４２９５号公報
【特許文献２】特開２００３−２７７１７号公報
【発明の開示】
【発明が解決しようとする課題】
【０００３】
しかし、上記特許文献１、２における浴室の場合、浴室の洗い場の床に前記の浴室用床パネルが用いられているだけであるので、浴室の洗い場では、水は途切れることがなく流れ、水溜りが残ることなく排水が行われる。しかし、浴室洗い場の床面と脱衣室の床面との段差を無くし、バリヤーフリーにしようとすると、浴室洗い場の水が脱衣室に入り易く、洗い場の出入り口に近接した脱衣室の床は汚れ易い。
そのため、浴室洗い場の水が脱衣室に入らないよう、その出入り口との間の戸の下端を受ける溝が必要となり、この溝部分が汚れ易いなどの問題があった。
【０００４】
この発明は、上記の問題を解消しようとするものであり、浴室洗い場と脱衣室との間の出入り口の床面の段差を無くし、その部分の汚れを防止し、脱衣室の掃除を簡単にした脱衣室の床及び浴室を提供することを目的とする。
【課題を解決するための手段】
【０００５】
請求項1記載の発明の脱衣室の床は、水玉の表面張力を破壊して速やかに排水する機構を備えたことを特徴とする。
【０００６】
請求項２記載の発明の脱衣室の床は、請求項１記載の脱衣室の床において、表面に多数の凸部が形成され、これらの凸部の間に流れ込んだ水を途切れさせずに一時捕水できる状態にする流路が浴室の洗い場に連続させて形成されていることを特徴とする。
【０００７】
請求項3記載の発明の脱衣室の床は、請求項１又は２記載の脱衣室の床において、水玉の表面張力を破壊して速やかに排水する機構を備えた部分が、浴室の洗い場との出入り口付近に設けられていることを特徴とする。
【０００８】
請求項４記載の発明の脱衣室の床は、請求項１又は２記載の脱衣室の床において、水玉の表面張力を破壊して速やかに排水する機構を備えた部分が、脱衣室の床の過半を占めることを特徴とする。
【０００９】
請求項５記載の発明の浴室は、請求項１ないし４のいずれか１項記載の脱衣室の床と浴室の洗い場とを仕切る戸が吊り戸であって、吊り戸の下端は床より上であることを特徴とする。
【発明の効果】
【００１０】
浴室の洗い場から脱衣室に水が流れ込んでも、水の表面張力が破壊され水同士の接触による水の引き込みにより、脱衣室の床は速やかに排水される。従って、脱衣室が濡れても直ぐに乾くため脱衣室に水が流れ込むことが問題にならないので、浴室の洗い場と脱衣室との間に排水のための樋を設けたり、吊り戸の下端をスノコ状の溝に入れる必要がない。このため、浴室の洗い場と脱衣室との間の出入り口を段差のないものとでき、また、脱衣室の床を、シャワー等で水を浴室の洗い場側に流して、浴室の排水目皿でゴミを濾し取ることで、簡単に掃除できる。そのようにしても脱衣室は速やかに乾く。
【発明を実施するための最良の形態】
【００１１】
この発明を実施するための最良の形態について図面を参照して説明する。
【００１２】
（実施の形態１）
図１は、この発明の浴室の実施の形態１を示す平面図、図２は、図１のＡ―Ａ断面図、図３は、この発明の浴室の洗い場等の床に敷設される床パネルの一例を示す斜視図である。
【００１３】
図１〜図３において、１は浴室、２は浴槽、３は洗い場、４は脱衣室、５は洗い場３と脱衣室４との間の出入り口、８は脱衣室４と浴室外との間の出入り口、９は床パネル、１０は床パネル９とは別の床パネルである。
【００１４】
洗い場３の浴槽２側には、流し溝６が形成され、そのほぼ中央部には排水口７が設けられ、洗い場３での水や浴槽２内の水が流し溝６に流れ込み排水口７から排水されるようになっている。
【００１５】
洗い場３の床は、水玉の表面張力を破壊して速やかに排水する機構を備えた床パネル９が敷設されることにより構成されている。
【００１６】
また、脱衣室４の床は、洗い場３側の床と同じ床パネル９がほぼ面一に敷設され、その他の部分が上記床パネル９とは別の床パネル１０が敷設されて構成されている。
脱衣室４の床パネル９の部分は脱衣室の床の過半を占めている。その他の脱衣室４の床は、床パネル９とは別の従来から脱衣室の床に用いられている床パネルで構成されている。
なお、１１は、脱衣室４内に設けられた洗面台である。
【００１７】
出入り口５には、洗い場３と脱衣室４とを仕切る吊り戸５１が設けられている。この吊り戸５１の下端は床面より上になっている。吊り戸５１は床面より上であるため、この部分の床に戸を挿入する溝は無く、洗い場３と脱衣室４との間の出入り口は段差のないものとなっている。
【００１８】
上記床パネル９としては、図３に示すように、床パネル９の表面の全域に滑り止め効果と表面張力破壊効果を兼用するほぼ長方形の凸形状部９１を多数形成し、凸形状部９１の間に排水口又は流し溝に連続する流路９２を形成した樹脂製の床パネルが用いられる。
上記流路９２は、その幅と深さを細く深くすることで、水の粘性と表面張力を利用して、流路９２内の水が途切れずに流し溝６と排水口７に流れるようになっている。
なお、脱衣室４の床パネル９の流路９２は、洗い場３側の床パネル９の流路９２と連続しており、脱衣室４に流れ込んだ水は、脱衣室４から途切れずに洗い場３の床パネル９を通って流し溝６と排水口７に流れるようになっている。
【００１９】
（実施の形態２）
図４は、この発明の浴室の実施の形態２を示す平面図である。
【００２０】
この実施の形態２においては、脱衣室４の床全体が洗い場３に敷設されている床パネル９と同じ床パネル９が敷設されている点が、図１〜図３に示す実施の形態１とは相違するが、その他の実施の形態は同じであるので説明を省略する。
【００２１】
（実施の形態３）
図５は、この発明の浴室の実施の形態３を示す平面図である。
【００２２】
この実施の形態２においては、洗い場３への出入り口５付近の脱衣室４の床部分だけが、洗い場３に敷設されている床パネル９と同じ床パネル９が敷設されている点が、図１〜図３に示す実施の形態１とは相違するが、その他の実施の形態は同じであるので説明を省略する。
【００２３】
以上、この発明の一実施の形態を図面により説明したが、この発明の具体的な構成はこの実施の形態に限られるものではなく、この発明の要旨を逸脱しない範囲の設計の変更などがあってもこの発明に含まれる。
例えば、洗い場と脱衣室の少なくとも一部に敷設される床パネルとしては、図３に示しした床パネルの他、表面に滑り止め用の凸部と、これらの凸部の間に排水口又は流し溝に連続する流路が形成され、少なくとも上記流路の上に水玉の表面張力を破壊する凹凸形状部が重ねて形成された床パネルであってもよい。
【００２４】
その他、特開２００２−５４２９５号公報、特開２００３−２７７１７号公報、特開２００４−１９０４８４号公報、特許第３５０８７６１号公報、特許第３５０８７６９号公報などに開示されているような床パネルであってもよい。
【産業上の利用可能性】
【００２５】
この発明によれば、脱衣室の床が水汚れし難く、住宅浴室に好適に利用できる。
【図面の簡単な説明】
【００２６】
【図１】この発明の浴室の実施の形態１を示す平面図である。
【図２】図１のＡ―Ａ断面図である。
【図３】この発明のこの発明の浴室の洗い場等の床に敷設される床パネルの一例を示す斜視図である。
【図４】この発明の浴室の実施の形態２を示す平面図である。
【図５】この発明の浴室の実施の形態３を示す平面図である。
【符号の説明】
【００２７】
１    浴室
２    浴槽
３    洗い場
４    洗面台
５    出入り口(吊り戸)
６    流し溝
７    排水口
８    出入り口
９    床パネル
１０    床パネル
【図１】
2006152682.tif 000003
【図２】
2006152682.tif 000004
【図３】
2006152682.tif 000005
【図４】
2006152682.tif 000006
【図５】
2006152682.tif 000007